(57)【要約】【課題】ファン装置による騒音をユーザ側で聞こえ難くさせること。【解決手段】筐体内に設けられるファンと、ファンから送風される空気を排出する排気口と、画像を表示するディスプレイと、処理能力の変更が可能なプロセッサと、ディスプレイに表示される画面の方向と排気口との位置関係によって、プロセッサの処理能力及びファンの回転数のうち、少なくともいずれか一つの制御が異なる複数の制御モードを実行する制御部５０を備える。重力の方向に対する前記ディスプレイの向きに応じて、画面を回転させる画面回転機能を有し、制御部５０は、排気口と画面回転機能によって回転される画面の方向によって、複数の制御モードを実行する。【選択図】図６
2018081481.tif 000002
【特許請求の範囲】
【請求項１】
筐体内に設けられるファンと、
前記ファンから送風される空気を排出する排気口と、
画像を表示するディスプレイと、
処理能力の変更が可能なプロセッサと、
前記ディスプレイに表示される画面の方向と前記排気口との位置関係によって、前記プロセッサの処理能力及び前記ファンの回転数のうち、少なくともいずれか一つの制御が異なる複数の制御モードを実行する制御部と
を具備する情報処理装置。
【請求項２】
重力の方向に対する前記ディスプレイの向きに応じて、画面を回転させる画面回転機能を有する情報処理装置であって、
前記制御部は、
前記排気口と前記画面回転機能によって回転される前記画面の方向によって、前記複数の制御モードを実行する請求項１に記載の情報処理装置。
【請求項３】
ユーザと前記筐体との距離を計測する距離計測部を具備し、
前記制御部は、さらに、前記ユーザと前記ディスプレイとの距離によって、前記プロセッサの処理能力及び前記ファンの回転数のうち、少なくともいずれか一つの制御が異なる複数の制御モードを実行する請求項１または請求項２に記載の情報処理装置。
【請求項４】
前記制御部は、
前記排気口が前記画面の下方向に存在しているか否かを判定し、前記排気口が前記画面の下方向に存在していると判定した場合に、前記プロセッサの処理能力及び前記ファンの回転数のうち、少なくともいずれか一つを低減させる制御モードを実行する請求項２または請求項３に記載の情報処理装置。
【請求項５】
前記制御部は、
前記排気口が前記画面の下方向に存在しているか否かを判定し、前記排気口が前記画面の下方向に存在しないと判定した場合に、前記プロセッサの処理能力及び前記ファンの回転数のうち、少なくともいずれか一つを増大させる制御モードを実行する請求項２または請求項３に記載の情報処理装置。
【請求項６】
前記排気口が設けられている前記筐体における辺の情報を格納する第１格納部を備え、
前記制御部は、前記第１格納部から読み出された前記辺の情報に基づいて、前記排気口が前記画面の下方向に存在するか否かを判定する請求項４または請求項５に記載の情報処理装置。
【請求項７】
前記プロセッサ及び前記ファンの少なくともいずれか一つの制御対象デバイスの動作状態と前記筐体の内部の検出温度とを関係づけた対応情報を、各前記制御モードに対応付けて格納する第２格納部を具備し、
前記制御部は、
実行する前記制御モードに対応する前記対応情報を前記第２格納部から読み出し、読み出した前記対応情報を用いて前記制御モードを実行する請求項１から請求項６のいずれかに記載の情報処理装置。
【請求項８】
前記制御部は、
前記排気口が前記画面の下方向に存在していないと判定し、かつ、前記ユーザと前記ディスプレイとの距離が第１所定値より大きいと判定した場合に、前記排気口が前記画面の下方向に存在している場合または前記距離が前記第１閾値以下の場合とは異なる前記制御モードを実行する請求項３に記載の情報処理装置。
【請求項９】
筐体内に設けられるファンと、前記ファンから送風される空気を排出する排気口と、画像を表示するディスプレイと、処理能力の変更が可能なプロセッサとを具備する情報処理装置の制御方法であって、
前記情報処理装置の制御部が、
前記ディスプレイに表示される画面の方向と前記排気口との位置関係を判定するステップと、
前記位置関係によって、前記プロセッサの処理能力及び前記ファンの回転数のうち、少なくともいずれか一つの制御が異なる複数の制御モードを実行するステップと、
を有する情報処理装置の制御方法。
【請求項１０】
筐体内に設けられるファンと、前記ファンから送風される空気を排出する排気口と、画像を表示するディスプレイと、処理能力の変更が可能なプロセッサとを具備する情報処理装置の制御プログラムであって、
前記ディスプレイに表示される画面の方向と前記排気口との位置関係を判定するステップと、
前記位置関係によって、前記プロセッサの処理能力及び前記ファンの回転数のうち、少なくともいずれか一つの制御が異なる複数の制御モードを実行するステップと、
を前記情報処理装置の制御部に実行させるための制御プログラム。
【請求項１１】
筐体内に設けられるファンと、
前記ファンから送風される空気を排出する排気口と、
処理能力の変更が可能なプロセッサと、
ユーザと前記筐体との距離によって、前記プロセッサの処理能力及び前記ファンの回転数のうち、少なくともいずれか一つの制御が異なる複数の制御モードを実行する制御部と
を具備する情報処理装置。
【発明の詳細な説明】
【技術分野】
【０００１】
本発明は、情報処理装置、その制御方法及び制御プログラムに関するものである。
【背景技術】
【０００２】
タブレットＰＣ（Personal  Computer）等の携帯型の情報処理装置（以下「タブレット端末」という。）は、ユーザが筐体を把持して自由に回転及び傾斜させることが可能である。このようなタブレット端末は、筐体の回転（傾き）に応じて、ディスプレイに表示している画像を回転させる機能（以下「自動画像回転機能」という。）を有するものがある。
特許文献１には、タブレット端末が自身の動きを監視することで、ユーザの姿勢を推測し、筐体の傾きがユーザの姿勢の変化によるものかどうかを区別することが記載されている。
【先行技術文献】
【特許文献】
【０００３】
【特許文献１】特開２０１０−８６１９２号公報
【発明の概要】
【発明が解決しようとする課題】
【０００４】
ところで、タブレット端末等の小型の電子機器は、筐体の内部に温度センサとファン装置とが設けられ、ユーザが触れる筐体表面の温度が上昇しないように管理されている。しかしながら、ファン装置の回転部分と筐体の内面が接触することにより異音が発生することがある。こうした異音は、ファン装置から排出される空気の吹き出し口となる排気口が電子機器の利用者側に向いているような場合には、利用者にとって騒音となり、耳障りとなるため好ましくない。
【０００５】
本発明は、このような事情に鑑みてなされたものであって、ファン装置による騒音をユーザ側で聞こえ難くさせることができる情報処理装置、その制御方法及び制御プログラムを提供することを目的とする。
【課題を解決するための手段】
【０００６】
上記課題を解決するために、本発明は以下の手段を採用する。
【０００７】
本発明の第１態様は、筐体内に設けられるファンと、前記ファンから送風される空気を排出する排気口と、画像を表示するディスプレイと、処理能力の変更が可能なプロセッサと、前記ディスプレイに表示される画面の方向と前記排気口との位置関係によって、前記プロセッサの処理能力及び前記ファンの回転数のうち、少なくともいずれか一つの制御が異なる複数の制御モードを実行する制御部とを具備する情報処理装置である。
【０００８】
本発明の第２態様は、筐体内に設けられるファンと、前記ファンから送風される空気を排出する排気口と、画像を表示するディスプレイと、処理能力の変更が可能なプロセッサとを具備する情報処理装置の制御方法であって、前記情報処理装置の制御部が、前記ディスプレイに表示される画面の方向と前記排気口との位置関係を判定するステップと、前記位置関係によって、前記プロセッサの処理能力及び前記ファンの回転数のうち、少なくともいずれか一つの制御が異なる複数の制御モードを実行するステップと、を有する情報処理装置の制御方法である。
【０００９】
本発明の第３態様は、筐体内に設けられるファンと、前記ファンから送風される空気を排出する排気口と、画像を表示するディスプレイと、処理能力の変更が可能なプロセッサとを具備する情報処理装置の制御プログラムであって、前記ディスプレイに表示される画面の方向と前記排気口との位置関係を判定するステップと、前記位置関係によって、前記プロセッサの処理能力及び前記ファンの回転数のうち、少なくともいずれか一つの制御が異なる複数の制御モードを実行するステップと、を前記情報処理装置の制御部に実行させるための制御プログラムである。
【００１０】
本発明の第４態様は、筐体内に設けられるファンと、前記ファンから送風される空気を排出する排気口と、処理能力の変更が可能なプロセッサと、ユーザと前記筐体との距離によって、前記プロセッサの処理能力及び前記ファンの回転数のうち、少なくともいずれか一つの制御が異なる複数の制御モードを実行する制御部とを具備する情報処理装置である。
【発明の効果】
【００１１】
本発明によれば、ファン装置による騒音をユーザ側で聞こえ難くさせることができるという効果を有する。
【図面の簡単な説明】
【００１２】
【図１】本発明に係るタブレット端末の概略外観図である。
【図２】本発明に係るタブレット端末の電気的構成を示すブロック図である。
【図３】タブレット端末が机に置かれた状態を示す概略外観図である。
【図４】タブレット端末の傾きを示す模式図である。
【図５】排気口周りを示した部分断面斜視図である。
【図６】本発明の第１実施形態に係る性能調整機能に関する機能ブロック図である。
【図７】第１サーマルテーブルの一例である。
【図８】第１サーマルテーブルの他の一例である。
【図９】本発明の第１実施形態に係る性能調整機能の処理の流れを示すフローチャートである。
【図１０】本発明の第２実施形態に係る性能調整機能に関する機能ブロック図である。
【図１１】本発明の第２実施形態に係る性能調整機能の処理の流れを示すフローチャートである。
【図１２】本発明の第３実施形態に係る性能調整機能に関する機能ブロック図である。
【発明を実施するための形態】
【００１３】
以下に、本発明に係る情報処理装置、その制御方法及び制御プログラムの一実施形態について、図面を参照して説明する。なお、本実施形態に係る情報処理装置は、スマートフォン、タブレットＰＣ等のタブレット端末（携帯型情報端末）である。
【００１４】
〔第１実施形態〕
以下、本発明の第１実施形態について説明する。
図１は、本実施形態に係るタブレット端末１０の概略外観図である。
タブレット端末１０は、筐体１１を備える。筐体１１は、略矩形であり、正面には画像を表示するタッチパネルディスプレイ（以下「ディスプレイ」という）１２が設けられる。本実施形態においては、画像を表示する部分をタッチパネル形式のディスプレイであることを一例として説明しているが、タッチパネル形式でないディスプレイであってもよい。
筐体１１の正面又は背面には、カメラ、スピーカー、マイク等が設けられてもよい。さらに、筐体１１の側面には、タブレット端末１０の電源をオン又はオフするためのボタン等の操作手段や、他の情報処理装置や記憶媒体等と接続可能なＵＳＢ（Universal  Serial  Bus）、ＨＤＭＩ（登録商標：High-Definition  Multimedia  Interface）規格、ＤＶＩ（Digital  Visual  Interface）規格等の接続手段等が設けられてもよい。
【００１５】
図２は、タブレット端末１０のハードウェアの構成を示す概略図である。
タブレット端末１０は、ＣＰＵ（Central  Processing  Unit）２０、ＲＯＭ（Read  Only  Memory）２１、メモリ２２、ＬＣＤ（Liquid  Crystal  Display）２３、グラフィクスアダプタ２４、タッチセンサ２５、入力コントローラ２６、フラッシュメモリ２７、通信デバイス２８、電源回路２９、加速度センサ３０、及びジャイロセンサ３１を備えており、各部はバス３２を介して直接または間接的に接続されている。なお、ディスプレイ１２は、ＬＣＤ２３とタッチセンサ２５を含んで構成される。
【００１６】
ＣＰＵ２０は、バス３２を介して接続されたフラッシュメモリ２７に格納されたＯＳ（Operating  System）によりタブレット端末１０全体の制御を行うとともに、フラッシュメモリ２７に格納された各種のプログラムに基づいて処理を実行する機能を有する。また、ＣＰＵ２０は、所定の指示に応じて処理能力の変更を可能とする。
ＲＯＭ２１は、ＢＩＯＳ（Basic  Input／Output  System）や各種データ等を格納している。
メモリ２２は、キャッシュメモリやＲＡＭ（Random  Access  Memory）で構成されており、ＣＰＵ２０の実行プログラム（例えば、制御プログラム）の読み込み、及び実行プログラムによる処理データの書き込みを行う作業領域として利用される書き込み可能なメモリである。
【００１７】
ＬＣＤ２３は、ＣＰＵ２０の制御に従って、グラフィクスアダプタ２４からのビデオ信号を画像として表示する。
グラフィクスアダプタ２４は、ＣＰＵ２０の制御に従って、表示情報をビデオ信号に変換し、変換したビデオ信号をＬＣＤ２３に出力する。
【００１８】
タッチセンサ２５は、例えば、静電容量方式のタッチセンサであり、ＬＣＤ２３に対して、タブレット端末１０を使用するユーザのタッチ位置を検出して、入力コントローラ２６に出力する。タッチセンサ２５は、ＬＣＤ２３の画面に表示される各種メニュー、アイコン、ボタン、及びキーボード等の画面オブジェクトを選択して入力操作を行ったり、テキストの入力操作や、スクロールやスワイプ等の画面操作を行うためのものである。
【００１９】
入力コントローラ２６は、プロセッサがＲＯＭ等に格納されたプログラムを実行することにより各種処理を行い、タッチセンサ２５の動作を制御する。
フラッシュメモリ２７は、例えば、Ｗｉｎｄｏｗｓ（登録商標），ｉＯＳ（登録商標）、Ａｎｄｒｏｉｄ（登録商標）等のタブレット端末１０全体の制御を行うためのＯＳ、周辺機器類をハードウェア操作するための各種ドライバ、特定業務に向けられたアプリケーション、及び各種データやファイル等を格納する機能を有する。なお、タブレット端末１０は、フラッシュメモリ２７に替わる記憶手段としてＨＤＤ（Hard  Disk  Drive）等、他の記憶手段を備えてもよい。
【００２０】
通信デバイス２８は、ネットワークを介して他のデバイスとの通信を制御する。
電源回路２９は、ＡＣアダプタ、電池、電池を充電するための充電器、及びＤＣ／ＤＣコンバータ等を備えており、ＣＰＵ２０の制御に従って、各デバイスに電力を供給する。
加速度センサ３０は、例えば、ディスプレイ１２に対して、その長手方向に平行ｘ方向、その短手方向に平行なｙ方向、ｘ方向及びｙ方向に垂直なｚ方向の加速度を検出し（図３参照）、ｘｙｚ方向の加速度値Ａｘ（ｔ）、Ａｙ（ｔ）、Ａｚ（ｔ）をＣＰＵ２０に出力する。加速度センサ３０がｘｙｚ方向の加速度を検出することにより、ディスプレイ１２の傾き及び回転を検出することができる。なお、ｚ方向とは、換言すると、ディスプレイ１２（画面）に対する法線方向である。
【００２１】
ジャイロセンサ３１は、回転する筐体１１のｚ軸廻りの角加速度を検出し、ＣＰＵ２０に出力する。すなわち、本実施形態に係るジャイロセンサ３１は、ディスプレイ１２に対する法線軸廻りθ１で回転した角度（以下「法線回転角度」という。）を検出する。例えば、机の上にタブレット端末１０を置いたときの角度θ１を０度とし、θ１０度位置から法線回転角度を検出することにより、ディスプレイ１２の上下方向を検出できるようになっている。
【００２２】
図３は、机面３３にタブレット端末１０を置いた場合を示す図である。ユーザは、ディスプレイ１２が上を向くように略水平面とされた机面３３にタブレット端末１０を置いて静止状態とし、ディスプレイ１２に対する法線軸廻りθ１でディスプレイ１２（タブレット端末１０）を回転させる場合がある。
本実施形態に係るタブレット端末１０は、静止状態でディスプレイ１２に対する法線軸廻りθ１で回転した場合に、ディスプレイ１２に表示されている画面（以下「表示画面」ともいう。）を回転させる静止自動画面回転モードを有する。
【００２３】
また、図４に示されるように、タブレット端末１０は、例えば、筐体１１をユーザによって把持された状態（以下「非静止状態」という。）で、水平面に対する垂直方向を０°とし、垂直方向に対するタブレット端末１０の角度をディスプレイ１２の傾き角度θ２として配置して傾けられながら回転した（例えば、Ｐ側とＱ側の上下を入れ替える）場合に、ディスプレイ１２に表示される表示画面を回転させる自動画面回転モードを有する。
【００２４】
以下の説明において、静止自動画面回転モード及び自動画面回転モードを実行する機能を画面回転機能という。
つまり、画面回転機能は、重力の方向に対するディスプレイ１２の向きに応じて画面を回転させる機能である。画面回転機能は、表示画面の上下の辺がディスプレイ１２の短辺と平行になる縦表示とするか、表示画面の上下の辺がディスプレイ１２の長辺と平行になる横表示とするかを、タブレット端末１０のディスプレイ１２の向きに応じて自動的に切り替える機能である。
【００２５】
タブレット端末１０は、上面部４２、左側面部４３、右側面部４４、前面部４５、後面部４６及び図示せぬ底面部から構成される箱状物である（図３参照）。
図５は、ファン装置（以下「ファン」という）４０及び排気口４１を含む冷却装置の内部構造を露出させ、拡大させて表示した斜視図である。冷却装置は、タブレット端末１０の左側面部４３の後面部４６側に配置されている。なお、冷却装置の位置はこの位置に限定されるものではない。また、タブレット端末１０の筐体内には、温度センサ（図示略）が設けられており、温度センサによる検出値に応じて、ファン４０が制御され、筐体表面及び筐体内部を冷却できるようになっている。
ファン４０は、タブレット端末１０の筐体内に設けられ、駆動させた場合に回転部（図示略）の径方向（遠心方向）に空気を送り出すように構成されている。ＣＰＵ等の発熱要素からの熱を除去して冷却し、ユーザが触れる筐体表面の温度が上昇しないように管理され、筐体１１を冷却する。
排気口４１は、ファン４０から送風される空気を排出する。
【００２６】
図６は、タブレット端末１０が備える性能調整機能を展開して示した機能ブロック図である。図６に示されるように、タブレット端末１０は、制御部５０と、格納部（第１格納部、第２格納部）７０とを備えている。
格納部７０は、ＣＰＵ２０及びファン４０の少なくともいずれか一つを制御対象デバイスの動作状態とタブレット端末１０の内部の検出温度とを関係付けた第１サーマルテーブル（対応情報）Ｔ１を、各制御モードに対応付けて格納する。
格納部７０は、排気口４１とディスプレイ１２の下方向とが一致していない場合に読み出される第１サーマルテーブルＴ１ａと、排気口４１とディスプレイ１２の下方向とが一致している場合に読み出される第１サーマルテーブルＴ１ｂとを格納する。
【００２７】
第１サーマルテーブルＴ１ａ，Ｔ１ｂは、筐体内部の検出温度と、制御対象デバイスの指令値の情報が対応付けられており、タブレット端末１０の向きに応じて、読み出される第１サーマルテーブルＴ１ａ，Ｔ１ｂが異なる。
また、格納部７０には、排気口４１が設けられている筐体１１における辺（筐体１１の壁部）の情報が格納されている。例えば、図３で示されている左側面部４３を辺Ａとし、後面部４６を辺Ｂとし、右側面部４４を辺Ｃとし、上面部４２を辺Ｄとし、本実施形態においては、辺Ａに排気口４１が設けられるという情報を格納部７０に格納する。
【００２８】
制御部５０は、排気口４１に対するユーザの推定位置に応じて、ＣＰＵ２０の処理能力及びファン４０の回転数のうち、少なくともいずれか一つの制御が異なる複数の制御モードを実行する性能調整機能を有する。本実施形態においては、ＣＰＵ２０の処理能力及びファン４０の両方を制御することとして説明する。
具体的には、制御部５０は、信号処理部５１と、向き判定部５２と、向き依存制御部５３とを備えている。
信号処理部５１は、加速度センサ３０による検出結果及びジャイロセンサ３１による検出結果が入力され、筐体１１（ディスプレイ１２）の傾きや回転角度を算出する。
【００２９】
向き判定部５２は、筐体１１において、排気口４１が設けられる位置と、ディスプレイ１２の下方向とが一致しているか否かを判定して、排気口４１が画面の下方向に存在しているか否かを判定する。本実施形態におけるディスプレイ１２の向きが下方向か否かを判定する場合に、画面回転機能によってディスプレイ１２に表示される画面の下方向をディスプレイ１２の下方向とする。例えば、図３で示されている左側面部４３を辺Ａとし、後面部４６を辺Ｂとし、右側面部４４を辺Ｃとし、上面部４２を辺Ｄとした場合に、向き判定部５２は、辺Ａ，Ｂ，Ｃ，Ｄのうちいずれの辺がディスプレイ１２に表示される画面の下方向となっているかを判定する。下方向と判定された辺が、排気口４１が備えられるとして予め設定された辺（例えば、辺Ａ）と一致するか否かを判定する。
【００３０】
また、ディスプレイ１２あるいはディスプレイ１２に表示される画面の下方向の判定は、上記に限定されず、例えば、上述の画面回転機能とは別の手法で画面の回転を行う場合、例えばタッチパネルに対するユーザによる画面の回転操作などによって画面の回転を行う場合には、その回転された画面の方向を判定するようにしてもよい。他にも、アクティブな特定のアプリケーションソフトで表示される画面や特定の表示対象物の下方向を検出し、これをディスプレイ１２の下方向としてもよい。例えば、描画のためのアプリケーションソフトウェアにおける特定の表示対象物の向きに応じてディスプレイ１２の下方向の判定を行ったり、動画再生のためのアプリケーションソフトウェアにおける動画の上下方向によってディスプレイ１２の下方向の判定を行ったりしてもよい。
【００３１】
向き依存制御部５３は、排気口４１と画面回転機能によって回転される画面の方向によって、複数の制御モードを実行する。つまり、向き依存制御部５３は、排気口４１が、排気口４１とディスプレイ１２の下方向とが一致しているか否かに応じて、ＣＰＵ２０の処理能力及びファン４０の回転数のうち、少なくともいずれか一つを変化させる。
【００３２】
具体的には、向き依存制御部５３は、向き判定部５２により、排気口４１とディスプレイ１２の下方向とが一致していると判定された場合には、ＣＰＵ２０の処理能力及びファン４０の回転数のうち、少なくともいずれか一つを、排気口４１とディスプレイ１２の下方向とが一致していない場合よりも低減させる制御モードで、ＣＰＵ２０の処理能力やファン４０の回転数を制御する。排気口４１とディスプレイ１２の下方向とが一致している場合には、排気口４１からの排気がユーザに当たり、排気音が騒音としてユーザに聞こえやすく、不快感を与える状態であると推定される。そのため、ＣＰＵ２０の処理能力を低減し、ファン４０の回転数を下げる性能調整をする。これにより、性能調整前と比較してユーザに排気音を聞こえ難くすることができる。
【００３３】
また、向き依存制御部５３は、排気口４１とディスプレイ１２の下方向とが一致していないと判定された場合には、ＣＰＵ２０の処理能力及びファン４０の回転数のうち、少なくともいずれか一つを、排気口４１とディスプレイ１２の下方向とが一致している場合よりも増大させる制御モードで、ＣＰＵ２０の処理能力やファン４０の回転数を制御する。
このように、排気口４１がディスプレイ１２の下方側以外（つまり、左側、右側、上方側）に向いていると判定された場合には、排気口４１がユーザ以外の方向に向いていると推定できる。排気口４１がユーザ以外の方向に向いている場合には、排気口４１からの排気がユーザには当たり難く、排気音がユーザに聞こえ難い状態であると考えられる。そのため、ＣＰＵ２０の処理能力を増大させ、ファン４０の回転数を上げる性能調整をする。これにより、タブレット端末１０やタブレット端末１０で実行されるアプリケーションのパフォーマンス向上に寄与できる。
【００３４】
具体的には、向き依存制御部５３は、格納部７０から、向き判定部５２による判定結果に応じた第１サーマルテーブルＴ１を読み出し、読み出した第１サーマルテーブルＴ１に応じた制御をする。
図７には、第１サーマルテーブルＴ１ａの一例が示されている。図７は、タブレット端末１０が用いられ、タブレット端末１０の排気口４１が、画面の下方向以外を向いている場合に読み出されるサーマルテーブルである。図８は、第１サーマルテーブルＴ１ｂの一例が示されている。図８は、タブレット端末１０の排気口４１が、画面の下方向に向いている、つまり、ユーザ側に向いている場合に読み出されるサーマルテーブルである。ここで、回転数（ｒｐｍ）は、ｑ１＞ｒ１、ｑ２＞ｒ２、ｑ３＞ｒ３、ｑ４＞ｒ４とする。
このように、図８の第１サーマルテーブルＴ１ｂは、図７の第１サーマルテーブルＴ１ａよりも、ＣＰＵ２０のパフォーマンスを抑え、ファン４０の回転数を低くし、制御対象デバイスの動作状態を抑えるような値に設定されている。
このように、制御部は、ディスプレイ１２に表示される画面の方向と排気口４１との位置関係によって、制御モードを実行する。
【００３５】
図９は、本実施形態に係る性能調整機能の処理の流れを示すフローチャートである。図９に示されるフローチャートは、性能調整機能がオンとされた場合に性能調整モードとなり、制御部５０によって実行される。
性能調整モードが有効にされる（図９のステップＳＡ１）。ディスプレイ１２に表示される画面の下方向が検出される（図９のステップＳＡ２）。筐体１１に設けられる排気口４１と、ディスプレイ１２の下方向とが一致するか否かが判定される（図９のステップＳＡ３）。なお、これでは、筐体１１に設けられる排気口４１の位置が、ディスプレイ１２の上方向、左右方向のいずれとも一致しないことを判定するのと同義である。排気口４１とディスプレイ１２の下方向が一致していないと判定された場合には（図９ステップＳＡ３のＮｏ）、格納部７０から第１サーマルテーブルＴ１ａを読み出し、第１サーマルテーブルＴ１ａに基づいてＣＰＵ２０及びファン４０を変化させ、排気口４１とディスプレイ１２の下方向が一致した場合よりもＣＰＵ２０の処理能力を増大させ、ファン４０の回転数を上げる（図９のステップＳＡ４）。
【００３６】
排気口４１とディスプレイ１２の下方向が一致していると判定された場合には（図９ステップＳＡ３のＹｅｓ）、格納部７０から第１サーマルテーブルＴ１ｂを読み出し、第１サーマルテーブルＴ１ｂに基づいてＣＰＵ２０及びファン４０を変化させ、排気口４１とディスプレイ１２の下方向が一致していない場合よりもＣＰＵ２０の処理能力を低下させ、ファン４０の回転数を下げる（図９のステップＳＡ５）。
【００３７】
性能調整機能が無効化されたか否かが判定され（図９のステップＳＡ６）、無効化された場合には（図９のステップＳＡ６のＹｅｓ）、本処理を終了する。性能調整機能が無効化されていない場合には（図９のステップＳＡ６のＮｏ）、ステップＳＡ１に戻り、本処理を繰り返す。
【００３８】
以上説明したように、本実施形態に係るタブレット端末１０、その制御方法及び制御プログラムによれば、ユーザと排気口４１との位置関係に応じて、ＣＰＵ２０の処理能力及びファン４０の回転数のうち、少なくともいずれか一つが制御される。排気口４１がディスプレイ１２の下方側に向いている場合には、排気口４１がユーザ側に向いていると判定される。排気口４１がディスプレイ１２の下方側に向いている場合には、排気口４１からの排気がユーザに当たり、排気音が騒音としてユーザに聞こえ、不快感を与える状態であると考えられる。そのため、ＣＰＵ２０の処理能力を低減し、ファン４０の回転数を下げる性能調整をする。これにより、性能調整前と比較してユーザに排気音を聞こえ難くすることができる。
【００３９】
また、排気口４１がディスプレイ１２の下方側以外（つまり、左側、右側、上方側）に向いている場合には、排気口４１がユーザ以外の方向に向いていると判定する。排気口４１がユーザ以外の方向に向いている場合には、排気口４１からの排気がユーザには当たり難く、排気音がユーザに聞こえ難い状態であると考えられる。そのため、ＣＰＵ２０の処理能力を増大させ、ファン４０の回転数を上げる性能調整をする。これにより、タブレット端末１０やタブレット端末１０で実行されるアプリケーションのパフォーマンス向上に寄与できる。例えば、タッチパネルを操作する指示体としてタッチペンと画像ソフトを使用して、ディスプレイ１２に表示されている写真を編集する等のタブレット端末１０に負荷のかかる処理をしている場合であっても、排気口４１の向きに応じて性能調整制御されることで、パフォーマンス向上できる。
また、排気口４１とディスプレイ１２の下方向とが一致しているか否かにそれぞれ応じたサーマルテーブルを用い、サーマルテーブルの読み出しによってＣＰＵ２０或いはファン４０の性能調整をすることにより、制御が簡便となる。
【００４０】
なお、上記実施形態においては、排気口４１とディスプレイ１２の下方向とが一致しているか否かに応じた２種類のサーマルテーブルを備えるタブレット端末１０として説明していたが、タブレット端末１０に設けられるサーマルテーブルはこれに限定されない。
例えば、複数筐体を有する情報処理装置が、タブレット形式の態様だけでなく、第１筐体と第２筐体とを連結するヒンジの角度を０℃から１８０℃の範囲に開いて使用する態様（例えば、クラムシェル状態）で用いられることもある。こうしたクラムシェル状態で用いられる端末の場合には、タブレット形式で用いられる第１サーマルテーブルＴ１ａよりもＣＰＵ２０の処理能力を増大させ、かつ、ファン４０の回転数を上げた状態の他のサーマルテーブルを格納部７０に格納させておき、クラムシェル状態で用いられる場合には、該サーマルテーブルを読み出すようにしてもよい。
【００４１】
本実施形態においては、第１格納部と第２格納部を１つの格納部に設けることとして記載していたが、本発明はこれに限定せず、第１格納部と第２格納部をそれぞれ異なる格納部に設けることとしてもよい。
【００４２】
〔第２実施形態〕
以下、本発明の第２実施形態について説明する。本実施形態においては、制御部が、ユーザと筐体１１との距離に応じて制御する点で第１実施形態と異なる。本実施形態のタブレット端末について、第１実施形態と共通する点については説明を省略し、図１から図５、図１０及び図１１を用いて異なる点について主に説明する。
【００４３】
図１０に示されるように、タブレット端末１０は、制御部５０’と、格納部７０’とを備えている。制御部５０’は、距離計測部６１と、距離判定部６２と、距離依存制御部６３とを備えている。
制御部５０’は、ユーザと筐体１１との距離に応じて、ＣＰＵ２０の処理能力及びファン４０の回転数のうち、少なくともいずれか一つを制御する性能調整機能を有する。本実施形態においては、ユーザと筐体１１との距離に応じて、ＣＰＵ２０の処理能力及びファン４０の両方を制御することとして説明する。
距離計測部６１は、ユーザとディスプレイ１２との距離を計測する。例えば、距離計測部６１は、ＩＲ（infrared：赤外線）カメラ、３Ｄカメラ等を含む撮像部を筐体１１に備え、撮像部が、投光パルスを高速で点滅させ、反射光の位相遅れの程度を計測することで、距離を計測する。この場合、反射光を入力信号とする。
【００４４】
なお、距離の計測方法はこれに限定されず、例えば、距離計測部６１は、撮像部と画像処理部とを備え、設けられる位置の対向位置を撮像する撮像部により撮像された撮像画像を入力信号とし、該撮像画像を画像処理部により画像解析処理することにより距離を求めても良い。画像解析処理の方法は、特に限定されないが、例えば、撮像画像内の顔を認識し、顔であると認識された面積の大きさに応じて、距離を求める。このような場合には、顔の面積の大きさと、ユーザと筐体１１との距離とを対応付ける距離対応情報を格納部７０’等に予め格納させておき、距離対応情報から面積の大きさに応じた距離の情報を読み出すことによって、ユーザと筐体１１との距離を計測してもよい。
或いは、撮像部による計測に限られず、所定の電波を発信し、その反射波を受信するまでにかかった時間から距離を算出する態様であってもよい。この場合には、反射波を入力信号とする。
【００４５】
距離判定部６２は、ユーザと筐体１１との距離が、第１所定値以下であるか否かを判定する。第１所定値は、排気口４１から排出される空気（排気）が、ユーザに聞き取られやすい状態か否か、排気がユーザに当たりやすいか否か等の条件に基づいて設定される、距離の閾値情報である。第１所定値の情報は、過去のユーザの経験や運用前テストの結果等に基づいて予めタブレット端末１０に設定しておくとよいが、入力装置等を介して適宜変更、設定等できるようにしてもよい。
【００４６】
距離依存制御部６３は、距離が、第１所定値以下か否かに応じて、ＣＰＵ２０の処理能力及びファン４０の回転数のうち、少なくともいずれか一つを変化させる。
具体的には、距離判定部６２により距離が第１所定値以下であると判定された場合に、距離依存制御部６３は、ＣＰＵ２０の処理能力及びファン４０の回転数のうち、少なくともいずれか一つを、距離が第１所定値より大きい場合より低減させる制御モードで、ＣＰＵ２０の処理能力やファン４０の回転数を制御する。また、距離判定部６２により、距離が第１所定値より大きいと判定された場合に、距離依存制御部６３は、ＣＰＵ２０の処理能力及びファン４０の回転数のうち、少なくともいずれか一つを、距離が第１所定値以下の場合より増大させる制御モードで、ＣＰＵ２０の処理能力やファン４０の回転数を制御する。
【００４７】
格納部７０’は、ＣＰＵ２０及びファン４０の少なくともいずれか一つの制御対象デバイスの動作状態とタブレット端末１０の内部の検出温度とを関係付けた第２サーマルテーブル（対応情報）Ｔ２を、各制御モードに対応付けて格納する。格納部７０’は、ユーザとディスプレイ１２との距離が第１所定値より大きい場合に読み出される第２サーマルテーブルＴ２ａと、ユーザとディスプレイ１２との距離が第１所定値以下の場合に読み出される第２サーマルテーブルＴ２ｂを格納する。
【００４８】
格納部７０’は、ＣＰＵ２０及びファンの少なくともいずれか一つを制御対象デバイスとし、該制御対象デバイスの動作状態と筐体１１の内部の検出温度とを関係付けた第２サーマルテーブルＴ２を格納する。格納部７０’は、距離が第１所定値以下か、距離が第１所定値より大きいかに応じてそれぞれ異なる第２サーマルテーブルＴ２を格納する。
距離依存制御部６３は、格納部７０’から、距離判定部６２による判定結果に応じた第２サーマルテーブルＴ２を読み出し、読み出した第２サーマルテーブルＴ２に応じた制御をする。
【００４９】
距離が第１所定値以下の場合には、第２サーマルテーブルＴ２ｂが用いられ、距離が第１所定値より大きい場合には、第２サーマルテーブルＴ２ａが用いられる。
第２サーマルテーブルＴ２ｂは、第２サーマルテーブルＴ２ａが用いられる場合よりも、ＣＰＵ２０のパフォーマンスを抑え、ファン４０の回転数を低くし、制御対象デバイスの動作状態を抑えるような値に設定されている。
第２サーマルテーブルＴ２ａ，Ｔ２ｂは、筐体内部の検出温度と、制御対象デバイスの指令値の情報が対応付けられており、タブレット端末１０からユーザまでの距離に応じて、読み出される第２サーマルテーブルＴ２ａ，Ｔ２ｂが異なる。
【００５０】
図１１は、本実施形態に係る性能調整機能の処理の流れを示すフローチャートである。図１１に示されるフローチャートは、性能調整機能がオンとされた場合に制御部５０によって実行される。
性能調整モードが有効にされる（図１１のステップＳＢ１）。ユーザと筐体１１との距離が検出される（図１１のステップＳＢ２）。ユーザと筐体１１の距離が第１所定値以下か否かが判定される（図１１のステップＳＢ３）。
ユーザと筐体１１との距離が第１所定値より大きいと判定された場合には（図１１ステップＳＢ３のＮｏ）、格納部７０’から第２サーマルテーブルＴ２ａを読み出し、第２サーマルテーブルＴ２ａに基づいてＣＰＵ２０及びファン４０を変化させ、距離が第１所定値以下となる場合よりもＣＰＵ２０の処理能力を増大させ、ファン４０の回転数を上げる制御をする（図１１のステップＳＢ４）。
【００５１】
ユーザと筐体１１との距離が第１所定値以下と判定された場合には（図１１ステップＳＢ３のＹｅｓ）、格納部７０’から第２サーマルテーブルＴ２ｂを読み出し、第２サーマルテーブルＴ２ｂに基づいてＣＰＵ２０及びファン４０を変化させる。そうして、距離が第１所定値以下の場合には、距離が第１所定値より大きい場合よりもＣＰＵ２０の処理能力を低下させ、ファン４０の回転数を下げる制御をする（図１１のステップＳＢ５）。
【００５２】
性能調整機能が無効化されたか否かが判定され（図１１のステップＳＢ６）、無効化された場合には（図１１のステップＳＢ６のＹｅｓ）、本処理を終了する。性能調整機能が無効化されていない場合には（図１１のステップＳＢ６のＮｏ）、ステップＳＢ１に戻り、本処理を繰り返す。
【００５３】
以上説明したように、本実施形態に係るタブレット端末１０、その制御方法及び制御プログラムによれば、ユーザと筐体１１との距離に応じて、ＣＰＵ２０の処理能力及びファン４０の回転数のうち、少なくともいずれか一つが制御される。
ユーザと筐体１１との距離が第１所定値以下と判定された場合には、排気口４１がユーザと近距離であると判定できるので、排気口４１からの排気がユーザに当たり、排気音が騒音としてユーザに聞こえやすく、不快感を与える状態であると考えられる。そのため、ＣＰＵ２０の処理能力を低減し、ファン４０の回転数を下げる性能調整をすることにより、性能調整前と比較してユーザに排気音を聞え難くすることができる。
また、ユーザと筐体１１との距離が第１所定値より大きいと判定された場合には、排気口４１がユーザから近距離でなく、ユーザ以外の方向に向いていると判定できる。排気口４１がユーザ以外の方に向いていると判定された場合には、排気口４１からの排気がユーザには当たり難く、排気音がユーザに聞こえ難い状態となる。そのため、ＣＰＵ２０の処理能力を増大させ、ファン４０の回転数を上げる性能調整をすることにより、タブレット端末１０やタブレット端末１０で実行されるアプリケーションのパフォーマンス向上に寄与できる。
【００５４】
また、ユーザと筐体１１との距離が第１所定値以下か否かに応じてそれぞれ異なる第２サーマルテーブルＴ２を用い、第２サーマルテーブルの読み出しによってＣＰＵ２０或いはファン４０の性能調整をすることにより、制御が簡便となる。
【００５５】
〔第３実施形態〕
以下、本発明の第３実施形態について説明する。本実施形態においては、排気口が画面の下向きに存在せず、かつ、ユーザと筐体との距離が第１所定値より大きい場合に制御する点で第１実施形態、第２実施形態と異なる。本実施形態のタブレット端末について、第１実施形態、第２実施形態と共通する点については説明を省略し、異なる点について主に説明する。
【００５６】
図１２は、第３実施形態に係る性能調整機能に関する機能ブロック図である。
入力信号は、加速度センサによる検出結果、ジャイロセンサによる検出結果、及びユーザとディスプレイとの距離を計測するために用いられる各種検出結果を含む。
格納部７０’’は、ＣＰＵ及びファンの少なくともいずれか一つの制御対象デバイスの動作状態とタブレット端末の内部の検出温度とを関係付けた第３サーマルテーブル（対応情報）Ｔ３を、各制御モードに対応付けて格納する。第３サーマルテーブルＴ３は、第３サーマルテーブルＴ３ａと第３サーマルテーブルＴ３ｂを含む。
【００５７】
第３サーマルテーブルＴ３ａは、上述した第１サーマルテーブルＴ１ａ及び第２サーマルテーブルＴ２ａの内容を含んでおり、第３サーマルテーブルＴ３ｂは、上述した第１サーマルテーブルＴ１ｂ及び第２サーマルテーブルＴ２ｂの内容を含んでいる。
第３サーマルテーブルＴ３ａは、排気口が画面の下向きに存在せず、かつ、ユーザと筐体との距離が第１所定値より大きい場合に格納部から読み出される。
第３サーマルテーブルＴ３ｂは、排気口が画面の下向きに存在する、またはユーザと筐体との距離が第１所定値以下の場合に格納部から読み出される。
【００５８】
制御部５０’’は、向き距離依存制御部８０を備えている。
向き距離依存制御部８０は、排気口が画面の下向きに存在せず、かつ、ユーザと筐体との距離が第１所定値より大きい場合に格納部７０’’から第３サーマルテーブルＴ３ａを読み出し、ＣＰＵの処理能力及びファンの回転数の少なくともいずれか一つを増大させる制御モードで、性能調整する。また、向き距離依存制御部８０は、排気口が画面の下向きに存在する、またはユーザと筐体との距離が第１所定値以下の場合に格納部７０’’から第３サーマルテーブルＴ３ｂを読み出し、ＣＰＵの処理能力及びファンの回転数の少なくともいずれか一つを低減させる制御モードで、性能調整する。
【００５９】
排気口が画面の下向きに存在せず、かつ、ユーザと筐体との距離が第１所定値より大きい場合とは、ユーザが排気口の向きにいない可能性が想定されたり、ユーザが筐体から遠いことが想定される。そのため、ＣＰＵの処理能力及びファンの回転数の少なくともいずれか一つが増大されることで、タブレット端末１０やタブレット端末１０で実行されるアプリケーションのパフォーマンス向上に寄与できる。
【００６０】
排気口が画面の下向きに存在する、またはユーザと筐体との距離が第１所定値以下の場合とは、ユーザが排気口の向きにいる可能性が想定されたり、ユーザが筐体に近いことが想定される。そのため、ＣＰＵの処理能力及びファンの回転数の少なくともいずれか一つが低減されることで、性能調整前と比較してユーザに排気音を聞こえ難くすることができる。
【００６１】
以上、本発明を、上記実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【００６２】
また、上記第１実施形態、第２実施形態、第３実施形態では、情報処理装置を１つの筐体で構成される携帯型情報端末のタブレット端末１０とする形態について説明したが、本発明は、これに限定されるものでなく、タブレット形式で用いることができる情報処理装置であれば他の形態としてもよい。
例えば、本発明の情報処理装置は、複数の筐体を有し、第１筐体と第２筐体がヒンジ（連結部）によって連結され、折り畳み可能な端末であって、第１筐体と第２筐体とが折り畳まれ、閉じた状態であるヒンジ角度０℃から、各筐体を開いてヒンジ角度を略３６０℃とし、ヒンジ角度が０℃のときに第１筐体と第２筐体の内側となっていた面をそれぞれ外側に配置させ、タブレット形式の態様で用いられる端末であってもよい。
或いは、キーボードを備える筐体と、ファン、ＣＰＵ、及びディスプレイ等を備える筐体とを切り離してタブレット形式で用いることができる端末であってもよい。
【００６３】
また、上記実施形態で説明した性能調整機能の処理の流れも一例であり、本発明の主旨を逸脱しない範囲内において不要なステップを削除したり、新たなステップを追加したり、処理順序を入れ替えたりしてもよい。
【符号の説明】
【００６４】
１０  タブレット端末（情報処理装置）
１２  ディスプレイ
２０  ＣＰＵ
４０  ファン
４１  排気口
５０、５０’、５０’’  制御部
５２  向き判定部
５３  向き依存制御部
６１  距離計測部
６２  距離判定部
６３  距離依存制御部
７０、７０’、７０’’  格納部
８０  向き距離依存制御部
Ｔ１、Ｔ１ａ、Ｔ１ｂ  第１サーマルテーブル
Ｔ２、Ｔ２ａ、Ｔ２ｂ  第２サーマルテーブル
Ｔ３、Ｔ３ａ、Ｔ３ｂ  第３サーマルテーブル
【図１】
2018081481.tif 000003
【図２】
2018081481.tif 000004
【図３】
2018081481.tif 000005
【図４】
2018081481.tif 000006
【図５】
2018081481.tif 000007
【図６】
2018081481.tif 000008
【図７】
2018081481.tif 000009
【図８】
2018081481.tif 000010
【図９】
2018081481.tif 000011
【図１０】
2018081481.tif 000012
【図１１】
2018081481.tif 000013
【図１２】
2018081481.tif 000014